【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
動画データの再生を行う情報処理装置であって、
再生対象となる動画データの表示を行う動画表示領域と、前記動画データの再生対象となる時間範囲を指定するための時間範囲コントロール部とを含む動画再生画面を表示する画面表示手段と、
ユーザによる操作が所定の第一の条件を満たした場合に、前記画面表示手段により表示された前記時間範囲コントロール部に、前記動画データの再生対象となる範囲をコマ単位で指定するためのボタンを出現させて表示する出現表示制御手段と
を備えることを特徴とする情報処理装置。
【請求項２】
前記画面表示手段により表示された動画再生画面に含まれる時間範囲コントロール部は、前記動画データの再生対象となる時間範囲を指定するための再生開始のイン点を指定するイン点コントロール部を含むことを特徴とする請求項１に記載の情報処理装置。
【請求項３】
前記画面表示手段により表示された動画再生画面に含まれる時間範囲コントロール部は、再生終了のアウト点を指定するアウト点コントロール部を含むことを特徴とする請求項１又は２に記載の情報処理装置。
【請求項４】
前記ユーザによる操作は、当該ユーザの操作に従って移動するカーソルオブジェクトの操作を含み、
前記出現表示制御手段は、前記ユーザの操作に従って移動するカーソルオブジェクトが前記時間範囲コントロール部に重なっている状態で、前記カーソルオブジェクトがクリックされた場合、または、前記ユーザの操作に従って移動するカーソルオブジェクトが前記時間範囲コントロール部に重なっている状態で、所定時間が経過した場合に、前記所定の第一の条件を満たすと判断することを特徴とする請求項１乃至３のいずれか１項に記載の情報処理装置。
【請求項５】
前記ユーザの操作に従って移動するカーソルオブジェクトが前記時間範囲コントロール部と重なっていない状態で所定の第二の条件を満たした場合に、前記時間範囲コントロール部に既に表示されている前記動画データの再生対象となる範囲をコマ単位で指定するためのボタンの表示を消去する表示消去制御手段をさらに備えることを特徴とする請求項１乃至４のいずれか１項に記載の情報処理装置。
【請求項６】
前記表示消去制御手段は、前記ユーザの操作に従って移動するカーソルオブジェクトが前記時間範囲コントロール部と重なっていない状態で、前記カーソルオブジェクトがクリックされた場合、または、前記ユーザの操作に従って移動するカーソルオブジェクトが前記時間範囲コントロール部に重なっていない状態で、所定時間が経過した場合に、前記時間範囲コントロール部に既に表示されている前記動画データの再生対象となる範囲をコマ単位で指定するためのボタンの表示を消去することを特徴とする請求項５に記載の情報処理装置。
【請求項７】
前記時間範囲コントロール部で指定される時間範囲の動画データを切り出して保存する動画切り出し処理、前記時間範囲の動画データを削除して残りの範囲の動画データ部分を結合して保存する部分カット処理、または、前記時間範囲の動画データに対してエフェクトをかけるエフェクト処理を行う編集手段をさらに備えることを特徴とする請求項１乃至６のいずれか１項に記載の情報処理装置。
【請求項８】
前記画面表示手段は、前記動画データの再生対象となる範囲をコマ単位で指定するためのボタンの操作を前記ユーザから受け付けた場合に、当該動画データの再生対象となる範囲をコマ単位で指定するためのボタンで指定されたコマの動画データを前記動画表示領域に表示することを特徴とする請求項１乃至７の何れか１項に記載の情報処理装置。
【請求項９】
前記出現表示制御手段により表示された、前記動画データの再生対象となる範囲をコマ単位で指定するためのボタンは、コマ送りボタンを含むことを特徴とする請求項１乃至８の何れか１項に記載の情報処理装置。
【請求項１０】
前記出現表示制御手段により表示された、前記動画データの再生対象となる範囲をコマ単位で指定するためのボタンは、コマ戻しボタンを含むことを特徴とする請求項１乃至９の何れか１項に記載の情報処理装置。
【請求項１１】
動画データの再生を行う情報処理装置における情報処理方法であって、
前記情報処理装置の画面表示手段が、再生対象となる動画データの表示を行う動画表示領域と、前記動画データの再生対象となる時間範囲を指定するための時間範囲コントロール部とを含む動画再生画面を表示する画面表示工程と、
前記情報処理装置の出現表示制御手段が、ユーザによる操作が所定の第一の条件を満たした場合に、前記画面表示工程により表示された前記時間範囲コントロール部に、前記動画データの再生対象となる範囲をコマ単位で指定するためのボタンを出現させて表示する出現表示制御工程とを含むことを特徴とする情報処理方法。
【請求項１２】
動画データの再生を行う情報処理装置で読み取り実行されるプログラムであって、
前記情報処理装置を、
再生対象となる動画データの表示を行う動画表示領域と、前記動画データの再生対象となる時間範囲を指定するための時間範囲コントロール部とを含む動画再生画面を表示する画面表示手段と、
ユーザによる操作が所定の第一の条件を満たした場合に、前記画面表示手段により表示された前記時間範囲コントロール部に、前記動画データの再生対象となる範囲をコマ単位で指定するためのボタンを出現させて表示する出現表示制御手段として機能させることを特徴とするプログラム。
【手続補正２】
【補正対象書類名】明細書
【補正対象項目名】発明の名称
【補正方法】変更
【補正の内容】
【発明の名称】情報処理装置、情報処理方法、およびそのプログラム
【手続補正３】
【補正対象書類名】明細書
【補正対象項目名】０００１
【補正方法】変更
【補正の内容】
【０００１】
情報処理装置、情報処理方法、およびそのプログラムに関し、特に、時間範囲の素早い大雑把な設定とコマ単位の正確な指定の両方を、ユーザが直観的な操作で実現することができる仕組みに関する。
【手続補正４】
【補正対象書類名】明細書
【補正対象項目名】００１１
【補正方法】変更
【補正の内容】
【００１１】
本発明は、動画データの再生を行う情報処理装置であって、再生対象となる動画データの表示を行う動画表示領域と、前記動画データの再生対象となる時間範囲を指定するための時間範囲コントロール部とを含む動画再生画面を表示する画面表示手段と、ユーザによる操作が所定の第一の条件を満たした場合に、前記画面表示手段により表示された前記時間範囲コントロール部に、前記動画データの再生対象となる範囲をコマ単位で指定するためのボタンを出現させて表示する出現表示制御手段とを備えることを特徴とする。
【手続補正５】
【補正対象書類名】明細書
【補正対象項目名】００１２
【補正方法】変更
【補正の内容】
【００１２】
また、本発明は、動画データの再生を行う情報処理装置における情報処理方法であって、前記情報処理装置の画面表示手段が、再生対象となる動画データの表示を行う動画表示領域と、前記動画データの再生対象となる時間範囲を指定するための時間範囲コントロール部とを含む動画再生画面を表示する画面表示工程と、前記情報処理装置の出現表示制御手段が、ユーザによる操作が所定の第一の条件を満たした場合に、前記画面表示工程により表示された前記時間範囲コントロール部に、前記動画データの再生対象となる範囲をコマ単位で指定するためのボタンを出現させて表示する出現表示制御工程とを含むことを特徴とする。
【手続補正６】
【補正対象書類名】明細書
【補正対象項目名】００１３
【補正方法】変更
【補正の内容】
【００１３】
また、本発明は、動画データの再生を行う情報処理装置で読み取り実行されるプログラムであって、前記情報処理装置を、再生対象となる動画データの表示を行う動画表示領域と、前記動画データの再生対象となる時間範囲を指定するための時間範囲コントロール部とを含む動画再生画面を表示する画面表示手段と、ユーザによる操作が所定の第一の条件を満たした場合に、前記画面表示手段により表示された前記時間範囲コントロール部に、前記動画データの再生対象となる範囲をコマ単位で指定するためのボタンを出現させて表示する出現表示制御手段として機能させることを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】